(57)【特許請求の範囲】
【請求項１】
前縁と、後縁と、一連のガードリブと、を有しているプラスチック本体であって、該一連のガードリブが、該プラスチック本体と一体成形されておりかつ該前縁と該後縁との間に伸びており、かつ２つの外側ガードリブと、１つのセンターガードリブと、該センターガードリブと該外側ガードリブとの間に配置される２つの中間ガードリブとを有している、プラスチック本体と、
前記プラスチック本体により取り囲まれている少なくとも３つの切り刃であって、各切り刃が該プラスチック本体の前縁の方を向いている刃先を有している少なくとも３つの切り刃と、
を備え、
外側ガードリブのフロントエッジが下の２つの切り刃のうちの最下部の切り刃の刃先若しくは該２つの切り刃の刃先を覆い、中間ガードリブのフロントエッジが下の２つの切り刃の刃先を覆い、センターガードリブのフロントエッジが少なくとも下の２つの切り刃の刃先を覆っている、
カミソリ刃カートリッジ。
【請求項２】
外側ガードリブのフロントエッジが最下部切り刃の刃先を覆っている請求項１に記載のカミソリ刃カートリッジ。
【請求項３】
前記ガードリブが、互いに間隔をおいて配置されている請求項１又は２に記載のカミソリ刃カートリッジ。
【請求項４】
前記ガードリブが、互いに均等な間隔をおいて配置されている請求項１又は２に記載のカミソリ刃カートリッジ。
【請求項５】
前記プラスチック本体の前縁にガードバーを更に備えている請求項１又は２に記載のカミソリ刃カートリッジ。
【請求項６】
前記ガードバーが、その上面に一連のくぼみを形成されている請求項５に記載のカミソリ刃カートリッジ。
【請求項７】
前記ガードバーの前記くぼみのそれぞれが、そのほぼ中央に突起を有している請求項６に記載のカミソリ刃カートリッジ。
【請求項８】
前記ガードリブの寸法が一様でない請求項１〜７のいずれか１項に記載のカミソリ刃カートリッジ。
【請求項９】
前記ガードリブの寸法が一様である請求項１〜７のいずれか１項に記載のカミソリ刃カートリッジ。
【請求項１０】
カミソリ刃カートリッジを作るための金型を用意すること、
該金型内に、刃先を有する少なくとも３つの切り刃を固定すること、
成形可能なプラスチック材料を前記金型内へ導入して、前記少なくとも３つの切り刃を取り囲むプラスチック本体を形成すること、
これにより前記プラスチック本体が、前縁と、後縁と、当該プラスチック本体と一体成形されて前縁と後縁との間に伸びる一連のガードリブと、を含み、該一連のガードリブが、２つの外側ガードリブと、１つのセンターガードリブと、該センターガードリブと該外側ガードリブとの間に配置される２つの中間ガードリブとを有しており、
前記少なくとも３つの切り刃の各々が該プラスチック本体の前縁の方を向いている刃先を有しており、
外側ガードリブのフロントエッジが下の２つの切り刃のうちの最下部の切り刃の刃先若しくは該２つの切り刃の刃先を覆い、中間ガードリブのフロントエッジが下の２つの切り刃の刃先を覆い、センターガードリブのフロントエッジが少なくとも下の２つの切り刃の刃先を覆っている、
ことからなる、
カミソリ刃カートリッジを製造する方法。
【請求項１１】
前記ガードリブと前記プラスチック本体とが、金型内で実質同時に形成される請求項１０に記載の方法。
【請求項１２】
前記切り刃を固定するステップが前記金型内に３つの切り刃を固定することを含み、これにより該３つの切り刃が互いに実質平行になっており、かつ、前記切り刃の刃先が同一方向に向いている、請求項１１に記載の方法。
【請求項１３】
前記ガードリブが前記少なくとも１枚の切り刃の刃先を越えて出っ張っている請求項１２に記載の方法。
【請求項１４】
前記プラスチック本体の前縁へガードバーを固定することを更に含んでいる請求項１０に記載の方法。
【発明の詳細な説明】
【０００１】
【発明の属する技術分野】
本発明は、カミソリ用のカミソリ刃カートリッジを対象とし、特に、カートリッジ本体に一体的に結合されることで、切り刃（cutting blade）の刃先を覆う保護用ガードリブを有するカミソリ刃カートリッジを対象とする。
【０００２】
【従来の技術】
様々な種類の安全カミソリが当業者によく知られている。典型的には、安全カミソリは、ハンドルと、ハンドルの上端に取り付けられるカミソリ刃カートリッジとを含む。カミソリ刃カートリッジは、典型的には、カートリッジに固定的に埋め込まれた１つ、２つ、３つ（又は、それ以上）の切り刃を含むことができ、成形プラスチックパーツとしてハンドルに一体的に形成されたり、又は、ハンドルに取り付け可能な別個のものにされたりする。
【０００３】
欧州特許公報ＥＰ ０３８９００７号には、プラスチックカートリッジ本体に巻かれる複数の隣接する巻きを有するワイヤーを含み、プラスチックカートリッジ本体に埋め込まれた２つのカミソリ刃を有するカミソリ刃カートリッジが開示されている。各巻きワイヤーは、互いに間隔をおいて配置され、シェービング方向と平行な方向に伸びる。保護用の巻きワイヤーの目的は、皮膚にくぼみや隆起が形成されるのを防ぎ、それにより皮膚を切る可能性を最小限することによって、カミソリ刃カートリッジのシェービング特性を改善することにある。更に、巻きワイヤーは、摩擦力を減らすことによって、ひげ剃り抵抗を減らし、また、カミソリを不適切に扱った際に、誤って肌を切ってしまうことを防止するのに役立つ。
【０００４】
Althausへの米国特許５,３５９,７７４号には、切り刃が埋め込まれたプラスチック本体を含むカミソリ刃カートリッジが開示されている。プラスチック本体は、使用者の皮膚をとらえるための面のポイントを規定するトップカバー及びフロントガードバーを有する。ガードバー、スペーサー及びトップカバーは、すべて、互いに位置合わせされた櫛状の突起を有し、皮膚を保護する。ひげ剃りの間、皮膚は、隆起やくぼみを形成する傾向にあり、これらの部分は、刃の刃先に過度にさらされることになり得る。櫛状の突起は、このようなことを防ぎ、また、カミソリヘッドに対して、追加的な摩擦の減少効果を与え、その結果、快適で安全なひげ剃りが可能になる。
【０００５】
Ferraroへの米国特許４,２７２,８８５号には、刃シートと、シート刃と、キャップ刃と、キャップと、刃の間のスペーサーとを含み、刃がひげを剃るため露出されているひげ剃りカートリッジが開示されている。スペーサーは、一連の突起を備え、少なくともそのうちのいくつかは、刃と皮膚との間の接触を減らして、皮膚を切る可能性を最小限にし、ひげ剃りの快適さを向上させるため、刃の刃先をこえて伸びている。
【０００６】
国際公開公報ＷＯ ９９／５２６８８号には、プラットホームとキャップとの間に固定された１つ又は複数の刃を含む刃カートリッジが開示されている。カートリッジは、刃の刃先に隣接して配置される１つ又は複数のリブを含み、リブに隣接した刃の一部が負の露出量を有するようにされる。ガードリブは、一般に、カミソリ刃カートリッジに沿って、均等に配置される。カートリッジは、また、位置が合わされてプラットホーム上のガードリブと実質的に連続するキャップ部材上のガードリブを含む。ガードリブによって、皮膚をとらえる刃の一部に、刃が皮膚に過剰に露出されるのを防ぐ負の刃露出量が与えられ、また、皮膚をとらえる刃の残りの部分で深剃りをすることが可能になる。
【０００７】
カミソリ刃に安全性に関する特徴を与える他の方法には、テープを巻かれた刃及びホイルで保護されたカートリッジが含まれる。テープを巻かれた刃は、典型的には、刃の上面から刃のエッジを覆って刃の下面へ伸びる材料シートを含む。材料シートは、典型的には、刃の刃先が使用者の皮膚に接触できるようにするため、刃先に位置が合わされる開口部を有する。ホイルで保護されたカミソリ刃カートリッジは、通常、一枚のホイルがキャップ部材、切り刃及びプラットホーム部材を覆って広がるように、組み立てられる。ホイルは、切り刃の刃先が使用者の皮膚と接触できるようにするため、刃先と位置が合わされる開口部を有する。
【０００８】
【発明が解決しようとする課題】
前述の特徴により、ある程度の安全性が得られるが、これらの特徴に関連して、複数の問題が存在する。例えば、このようなカミソリ刃カートリッジの製造に関する費用は、ワイヤーが巻かれたカミソリ刃カートリッジ、テープが巻かれたカミソリ刃カートリッジ及びホイルで保護されたカミソリ刃カートリッジを製造するのに比較的複雑な機構が必要なため、非常に高くなり得る。そのうえ、ワイヤーが巻かれたカミソリ刃カートリッジ、ホイルで保護されたカミソリ刃カートリッジ及びテープが巻かれたカミソリ刃カートリッジは、保護用部材と刃との間にひげがはさまれるので、使用者のひげをとらえたり、引っ張ったりしがちである。また、このような組立品は、保護用部材と刃との間に剃り屑その他のものを集めがちである。そのうえ、ホイルで保護されたカミソリ刃カートリッジ、テープが巻かれたカミソリ刃カートリッジ及びワイヤーが巻かれたカミソリ刃カートリッジは、このような器具を使って得ることが可能な剃りの深さを制限する。更に、ワイヤーが巻かれたカミソリ刃カートリッジは、ワイヤーが刃の刃先に食い込んで、刃を傷める傾向があるという不都合も有する。加えて、ワイヤーは、使用中、その最初の位置から容易に動かされ、その結果、刃のシェービング特性が変わり、その刃先が過剰に摩耗する可能性がある。
【０００９】
上記の点から見て、製造するのが容易かつ安価であり、安全で快適なひげ剃りを可能にするガードリブ付きカミソリ刃カートリッジに対するニーズがあるということは明らかである。
【００１０】
【課題を解決するための手段】
本発明のある好ましい実施形態によると、カミソリ刃カートリッジは、前縁（リーディングエッジ）、後縁（トレーリングエッジ）及び一連のガードリブを有するプラスチック本体を含み、一連のガードリブは、プラスチック本体と一体成形され、プラスチック本体の前縁と後縁との間に伸びるものである。ある好ましい実施形態においては、ガードリブは、互いに間隔をおいて配置され、特に好ましい実施形態においては、ガードリブは、互いに均等な間隔をおいて配置される。また、カミソリ刃カートリッジは、好ましくは、プラスチック本体に取り囲まれた１つ又は複数の切り刃を含み、各切り刃は、プラスチック本体の前縁の方を向く刃先を有する。１つ又は複数のガードリブは、望ましくは、少なくとも１つの切り刃の刃先の一部分又は複数部分を覆う。すなわち、少なくとも１つのガードリブは、好ましくは、少なくとも１つのガードリブが、少なくとも１つの切り刃の刃先をこえて出っ張るように、少なくとも１つの切り刃の刃先の上に重なる。ガードリブは、好ましくは、プラスチック本体と実質的に同時に形成され、好ましくは、プラスチック本体と同じ材料（例えば、プラスチック）で作られる。
【００１１】
ある好ましい実施形態では、１つ又は複数の切り刃には、好ましくは、互いに、及び、プラスチック本体の前後縁と実質平行な２つ又は３つの切り刃が含まれる。ある実施形態においては、ガードリブは、１つ又は複数の切り刃と実質垂直である。すなわち、ガードリブは、カミソリ刃カートリッジのシェービング方向と実質平行になる。
【００１２】
ある好ましい実施形態においては、ガードリブは、実質的に一様な寸法を有する。すなわち、ガードリブは、実質一様な、全体形状、大きさ、長さ、高さ及び／又は厚さを有する。しかしながら、他の好ましい実施形態では、ガードリブは、一様でない寸法を有することがある。一つの具体的な実施形態では、ガードリブには、センターガードリブと、センターガードリブの両側にある少なくとも一対のガードリブとが含まれる。これらの実施形態では、センターガードリブは、第一の寸法を持ち、一対の外側ガードリブは、センターガードリブの寸法より小さい第二の寸法を持つことがある。センターガードリブは、外側ガードリブのフロントエッジより長さが長いフロントエッジを有することがある。他の実施形態では、センターガードリブは、外側ガードリブより高さが高いことがある。また、一連のガードリブには、センターガードリブと外側ガードリブとの間に配置される一対の中間ガードリブが含まれることがある。中間ガードリブは、センターガードリブの第一の寸法より小さい寸法を有する。
【００１３】
他の好ましい実施形態では、中間ガードリブは、外側ガードリブの第二の寸法より大きい寸法を有する。中間ガードリブは、望ましくは、外側ガードリブの長さ又は高さより大きい長さ又は高さを有する。更に他の実施形態では、一連のガードリブには、第一の長さを有するセンターガードリブと、センターガードリブの両側にある一対の中間ガードリブとが含まれ、一対の中間ガードリブの長さは、センターガードリブの第一の長さより短い。ここでは、「長さ」という用語は、ガードリブのフロントエッジの長さを意味しており、ガードリブのフロントエッジは、刃先の少なくとも一部を覆って、上になる。また、ガードリブには、中間ガードリブの両側に置かれる一対の外側ガードリブが含まれることもあり、外側ガードリブの長さは、中間ガードリブの長さより短い。特に好ましい実施形態では、カミソリ刃カートリッジは、センターガードリブと、センターガードリブの両側に置かれる二対のガードリブとを含む。しかしながら、他の好ましい実施形態は、切り刃の長さ方向に広がる３つ、４つ、５つ又はそれ以上のガードリブ対を含むかもしれない。
【００１４】
本発明の更に別の好ましい実施形態によると、カミソリ刃カートリッジの製造方法は、カミソリ刃カートリッジを作るための金型を用意すること、及び、刃先を有する少なくとも１つの切り刃（好ましくは、２つ又はそれ以上の切り刃）を金型内に固定することを含む。そして、少なくとも１つの切り刃を取り囲むプラスチックカートリッジ本体を形成するために、成形可能なプラスチック材料が金型内に導入される。プラスチックカートリッジ本体は、望ましくは、前縁、後縁、及び、プラスチック本体と一体成形され、その前縁と後縁の間に伸びる一連のガードリブを含む。ガードリブ及びプラスチック本体は、望ましくは、互いに実質同時に形成されて、ガードリブがプラスチック本体に一体的に結合されるようになる。少なくとも１つの切り刃は、好ましくは、プラスチック本体の前縁の方を向く刃先を有しており、１つ又は複数のガードリブが、少なくとも１つの切り刃の刃先を覆って、上になる。ある好ましい実施形態では、少なくとも１つの切り刃を固定するステップには、３つの切り刃が互いに実質平行になるように、３つの切り刃を金型内に固定することが含まれ、それによって、切り刃の刃先が同じ方向を向き、ガードリブが切り刃の刃先の上に重なる。また更なる好ましい実施形態では、カミソリ刃カートリッジは、プラスチックカートリッジ本体の前縁に固定されるガードバーも含む。ガードバーは、好ましくは、コンプライアント・ポリマー材料で作られ、一連のくぼみがその上面に形成されることがある。各くぼみは、中央に突起を含むことがある。ガードバーは、好ましくは、使用者の皮膚を引き伸ばすために使用者の皮膚をとらえる。くぼみ及び突起は、使用者の皮膚上の潤滑剤をならす働きをすることがある。ひげ剃り操作の間、くぼみは、次のひと剃りの間に皮膚平面につけられることになる少量の潤滑剤を集めて、蓄えることがある。
これら及び他の本発明の好ましい実施形態は、以下でより詳細に説明される。
【００１５】
【発明の実施の形態】
図１及び図２を参照すると、カミソリ刃カートリッジは、前縁１４及び後縁１６を有するプラスチック本体１２を含む。プラスチック本体１２は、また、第一の端部１８及び第二の端部２０を含み、第一及び第二の端部は、プラスチック本体１２と一体的に形成される。プラスチック本体１２は、好ましくは、硬い成形可能な材料で作られる。カミソリ刃カートリッジ１０は、プラスチック本体１２の前縁１４に取り付けられるガードバー２２を含む。ガードバー２２は、好ましくは、コンプライアント材料で作られ、その上面２６に一連のくぼみ２４が形成される。各くぼみ２４は、好ましくは、その中央に隆起又は突起２８を含む。ある好ましい実施形態では、くぼみ２４の形状は、実質的に台形である。また、カミソリ刃カートリッジ１０は、好ましくは、プラスチック本体１２と一体的に形成されて、その後縁１６に隣接して配置されるキャップ３０を含む。キャップ３０上には、スムーザー３２が固定されることがあり、スムーザー３２は、水などの液体に接触すると、使用者の皮膚に潤滑剤を与える。キャップ３０の中間部分３４には、隆起部３６Ａ，３６Ｂの並びがあり、その間に切れ目３８Ａ，３８Ｂを有する。切れ目３８Ａ，３８Ｂによって、プラスチック本体１２に柔軟性が与えられ、プラスチック本体１２の第一及び第二の端部１８，２０が互いに対して曲がるようになる。
【００１６】
図１及び図２に示した具体的な好ましい実施形態では、カミソリ刃カートリッジ１０は、刃先４２Ａ，４２Ｂ，４２Ｃをそれぞれ有する３つの切り刃４０Ａ，４０Ｂ，４０Ｃを含む。切り刃４０Ａ〜４０Ｃは、プラスチック本体１２内へ成形され、好ましくは、互いに実質平行になる。切り刃４０Ａ〜４０Ｃの刃先４２Ａ〜４２Ｃは、好ましくは、プラスチック本体１２の前縁１４の方を向く。切り刃４０Ａ〜４０Ｃのうちの１つ又は複数は、好ましくは、水や剃り屑が容易に流れ、切り刃の間から取り除かれるように、それを貫通して広がる開口部４４を有する。
【００１７】
また、カミソリ刃カートリッジ１０は、好ましくは、プラスチック本体１２と一体成形される一連のガードリブ４６Ａ〜４６Ｅを含む。ガードリブには、センターガードリブ４６Ｃ、一対の外側ガードリブ４６Ａ及び４６Ｅ、並びに、一対の中間ガードリブ４６Ｂ及び４６Ｄが含まれる。ガードリブ４６Ａ〜４６Ｅの寸法、すなわち、大きさ、形状、高さ、長さ及び厚さは、好ましくは一様である。特に好ましい実施形態では、ガードリブ４６Ａ〜４６Ｅは、プラスチック本体１２と同時にまとめて形成される。その結果、二次的操作、特殊な機械、追加の部品又は仕掛品（ＷＩＰ）が不要になる。ガードリブは、好ましくは、プラスチック本体１２を作るのに使われた材料と同じ材料で作られる。
【００１８】
図３を参照すると、ある好ましい実施形態では、各ガードリブ４６は、切り刃４０Ａ〜４０Ｃの刃先４２Ａ〜４２Ｃの一部を覆って、上になるフロントエッジ４８を有する。その結果、ガードリブ４６は、プラスチック本体１２の前縁１４と後縁（図示していない）との間に伸びる。ひげ剃り操作の間に、使用者が皮膚表面を切る可能性を最小限にするために、ガードリブ４６は、切り刃４０Ａ〜４０Ｃの刃先４２Ａ〜４２Ｃの上に出っ張り、覆い、及び／又は、上に重なる。ガードリブ４６のフロントエッジ４８は、カミソリ刃カートリッジが皮膚表面を横切って引きずられる際の摩擦や抵抗の量を減らすために、プラスチック本体の前縁１４と後縁との間に伸びる。図１〜２に示した具体的な実施形態では、ガードリブ４６Ａ〜４６Ｅは、実質的に一様な寸法を有する。すなわち、ガードリブのそれぞれは、実質的に同じ形状、高さ、長さ及び幅を有する。
【００１９】
ある好ましい実施形態では、図１〜３に示したカミソリ刃カートリッジ１０は、熱可塑性金型を用意して、金型内に、刃先を有する少なくとも１つの切り刃を固定することによって製造される。図１〜３に示した具体的な好ましい実施形態では、少なくとも３つの切り刃が熱可塑性金型内に固定され、切り刃は、刃先が同じ方向を向いて、互いに実質平行になる。そして、カミソリ刃カートリッジのプラスチック本体が、加熱されたプラスチック材料を金型内へ射出することによって形成される。そして、プラスチック材料は硬化させられて、プラスチック本体が得られ、それによって、切り刃がプラスチック材料によって囲まれる。具体的な好ましい実施形態では、ガードリブは、プラスチック本体と一体化した部分であり、切り刃の刃先の少なくとも一部の上になる。
【００２０】
図４は、前縁１１４及び後縁１１６を有するプラスチック本体１１２を含む本発明の別の好ましい実施形態に従ったカミソリ刃カートリッジ１１０を示す。カミソリ刃カートリッジ１１０は、一体的に結合された端部１１８，１２０の間に伸びる３つの切り刃１４０Ａ〜１４０Ｃを含む。切り刃１４０Ａ〜１４０Ｃは、互いに実質平行であり、プラスチック本体１１２の前縁１１４の方を向く刃先１４２Ａ〜１４２Ｃを有する。カミソリ刃カートリッジ１１０は、前縁１１４と後縁１１６との間に伸び、プラスチック本体１１２と一体成形される一連のガードリブ１４６Ａ〜１４６Ｅを含む。ガードリブには、センターガードリブ１４６Ｃと、センターガードリブ１４６Ｃの両側に置かれる一対の外側ガードリブ１４６Ａ及び１４６Ｅと、センターガードリブ１４６Ｃの両側に置かれ、外側ガードリブ１４６Ａ，１４６Ｅとセンターガードリブ１４６Ｃとの間にある一対の中間ガードリブ１４６Ｂ及び１４６Ｄとが含まれる。図４に示した具体的な好ましい実施形態では、ガードリブの寸法は一様ではない。ここでは、「寸法」という用語は、ガードリブの全体形状、長さ、高さ、幅又は厚さを意味することがある。図４に示すように、センターガードリブ１４６Ｃは、第一の寸法を有し、一対の外側ガードリブ１４６Ａ，１４６Ｅは、センターガードリブ１４６Ｃの第一の寸法より小さい第二の寸法を有する。具体的には、センターガードリブ１４６Ｃは、キャップ１３０に一体結合される隆起部１３６と前縁１１４との間の全距離に伸びる。しかも、センターガードリブ１４６Ｃは、３つの切り刃１４０Ａ〜１４０Ｃのすべての刃先１４２Ａ〜１４２Ｃの上になる。これに対して、一対の外側ガードリブ１４６Ａ，１４６Ｅは、キャップ１３０と前縁１１４との間の途中まで伸びるだけである。従って、外側ガードリブ１４６Ａ，１４６Ｅは、一番上の切り刃１４０Ａの刃先１４２Ａを覆うだけである。更に、一対の中間ガードリブ１４６Ｂ，１４６Ｄの寸法は、外側ガードリブ１４６Ａ，１４６Ｅの寸法より大きいが、センターガードリブ１４６Ｃの寸法より小さい。その結果、中間ガードリブ１４６Ｂ，１４６Ｄは、上の２つの切り刃１４０Ａ，１４０Ｂの刃先１４２Ａ及び１４２Ｂを覆うだけである。
【００２１】
本発明は、特定の動作原理によって制限はされないが、カミソリ刃カートリッジには、中間ガードリブ１４６Ｂ，１４６Ｄや外側ガードリブ１４６Ａ，１４６Ｅの付近より、センターガードリブ１４６Ｃの付近で、より多くの力が加わると考えられる。従って、切り刃が皮膚表面上を通過する際の抵抗による摩擦力を最小限にするために、センターガードリブ１４６Ｃのフロントエッジ１４８Ｃは、他のガードリブのフロントエッジより長い。
【００２２】
図５は、本発明の別の好ましい実施形態に従ったカミソリ刃カートリッジ２１０を示す。カミソリ刃カートリッジ２１０は、前縁２１４及び後縁２１６を有するプラスチック本体２１２を含む。３つの切り刃２４０Ａ〜２４０Ｃの組は、プラスチック本体２１２に埋め込まれている。切り刃２４０Ａ〜２４０Ｃは、好ましくは、互いに実質平行であり、プラスチック本体２１２の両端の端部２１８，２２０の間に伸びる。カミソリ刃カートリッジ２１０は、また、プラスチック本体２１２と一体成形される一連のガードリブ２４６Ａ〜２４６Ｅを含む。ガードリブは、プラスチック本体２１２に一体的に結合される成形プラスチックで構成される。図５に示した具体的な好ましい実施形態では、ガードリブ２４６Ａ〜２４６Ｅの寸法は一様ではない。具体的には、センターガードリブ２４６Ｃの寸法は、中間ガードリブ２４６Ｂ，２４６Ｄより大きく、また、中間ガードリブ２４６Ｂ、２４６Ｄの寸法は、外側ガードリブ２４６Ａ，２４６Ｅより大きい。図５に示すように、センターガードリブ２４６Ｃのフロントエッジ２４８Ｃは、３つの切り刃２４０Ａ〜２４０Ｃのすべての刃先２４２Ａ〜２４２Ｃの上になる。これに対して、中間ガードリブ２４６Ｂ，２４６Ｄは、下の２つの切り刃２４０Ｂ，２４０Ｃの刃先２４２Ｂ，２４２Ｃを覆うだけのフロントエッジ２４８Ｂ，２４８Ｄを有する。一対の外側ガードリブ２４６Ａ，２４６Ｅは、一番下の切り刃２４０Ｃの刃先２４２Ｃを覆うフロントエッジ２４８Ａ，２４８Ｅを有する。
【００２３】
本発明は、特定の動作原理に限定されないが、中間や外側のガードリブより長いフロントエッジ２４８Ｃを有するセンターガードリブ２４６Ｃを設けることによって、切り刃の刃先が皮膚表面を横切って引っ張られる際の抵抗を最小限にできると考えられる。中間及び外側ガードリブの領域では、より小さい力しか加わらないので、中間及び外側ガードリブのフロントエッジには、センターガードリブのフロントエッジほどの長さは必要とされない。
【００２５】
上述した特徴のこれら及び他の変形や組み合わせが、特許請求の範囲で規定される本発明から逸脱することなく、利用できる。例えば、任意の数のガードリブをプラスチックカートリッジ本体と一体的に形成できる。ガードリブの数は、偶数でもよい。従って、好ましい実施形態の前述の記載は、特許を受けようとする発明を制限するためのものではなく、説明のためのものとして理解されなければならない。
【００２６】
本発明について、具体的な実施形態に関連して説明してきたが、これらの実施形態は、単に、本発明の原理と用途を説明するためのものである。従って、特許請求の範囲に規定される本発明の精神及び範囲から逸脱することなく、説明のための実施形態に多くの変更を加えることができ、また、他の形態を創り出すこともできる。
【図面の簡単な説明】
【図１】本発明のある好ましい実施形態に従った、ガードリブを含むカミソリ刃カートリッジの斜視図を示す。
【図２】図１に示したカミソリ刃カートリッジの別の斜視図を示す。
【図３】図１及び図２に示したカミソリ刃カートリッジの一部の拡大部分図を示す。
【図４】本発明の他の好ましい実施形態に従った、ガードリブを有するカミソリ刃カートリッジの斜視図を示す。
【図５】本発明の更に別の好ましい実施形態に従った、ガードリブを含むカミソリ刃カートリッジの斜視図を示す。
【図１】
0003814540.tif 000002
【図２】
0003814540.tif 000003
【図３】
0003814540.tif 000004
【図４】
0003814540.tif 000005
【図５】
0003814540.tif 000006